(57)【特許請求の範囲】
【請求項１】
横桟に縦桟を複数取付けたパネルの前記横桟同士を角度自在に連結するコーナー連結部材であって、
前記コーナー連結部材は、前記縦桟と平行に配置される縦材と、前記縦材から側方に突出する突出部と、前記突出部と横桟とを接続する２個の接続部と、縦材の移動を規制する規制材とを備え、
前記突出部、接続部及び規制材は、上下にボルトが挿通されて、突出部と接続部とは前記ボルトを軸として角度自在に連結されるとともに、前記規制材によって、接続部に対する突出部の移動が規制されることを特徴とするコーナー連結部材。
【請求項２】
前記接続部は、前記突出部と上下方向に重合可能な重合部と、前記横桟の側端部に取付けられた横桟固定部を備え、
前記突出部、前記重合部及び規制材は、上下方向に重合され、該突出部、重合部及び規制材それぞれに設けられた上下に貫通する貫通孔を挿通するボルトによって締結されるとともに、前記規制材は、縦材を収納する収納部と、連結される横桟に取付けられたそれぞれの横桟固定部に当接可能な当接部を有していることを特徴とする請求項１に記載のコーナー連結部材。
【発明の詳細な説明】
【技術分野】
【０００１】
本発明は、敷地境界部や隣地境界部に設けられる塀やフェンスに用いられるパネルについて、特にコーナー部のパネルを連結するためのコーナー連結部材に関する。
【背景技術】
【０００２】
一般に、道路と敷地の境界、敷地同士の境界等を仕切るために、その境界部に沿ってフェンスが取付けられている。前記フェンスは、通常、境界に沿って立設された支柱間にパネルが取付けられたものであり、支柱の側面間に該支柱とパネルとが略同一面上に取付けられる、いわゆる固定柱タイプと、支柱の前面側にパネルが取付けられる、いわゆる自由柱タイプとがある。
【０００３】
前記フェンスにおいて、自由柱タイプの場合、コーナー部では、２枚のパネルの側端部同士を突き合わせて直結するか、継手等を用いてパネル同士を接続することが多い。接続の際は、特に格子状パネルや縦格子パネルの場合、横材や胴縁同士を接続することとなるため、その接続しろによって、端部の縦材間の間隔が不自然にあいてしまうことがある。また、支柱がないため、比較的強度が低く、接続箇所付近から動物等が侵入しやすくなることもある。
【０００４】
そのため、例えば、特許文献１には、フェンスの横桟の横桟突出部にヒンジ部材を介設することによってフェンスを連結し、該ヒンジ部材に設置したブラケットによってダミー縦桟を横桟突出部間に配置したフェンスのコーナー連結装置であって、ブラケットがボルトによって回軸支されるものが開示されており、このダミー縦桟によって、フェンスの間に不自然な間隔を形成されるのを防止することができる。
【先行技術文献】
【特許文献】
【０００５】
【特許文献１】特開２００１−９８７９６号公報
【発明の概要】
【発明が解決しようとする課題】
【０００６】
ところで、前記フェンスのコーナー連結装置では、ダミー縦桟によってフェンスの間の不自然な隙間をなくすことはできるが、ブラケットは、ボルトによって回動自在に軸支されているため、ダミー縦桟を幅方向に押すと、ブラケットが回動してダミー縦桟の位置がずれてフェンスの間の隙間に偏りが生じたり、ボルトが緩んでしまったりするおそれがあった。
【０００７】
本発明は、前記の如き問題点を解消し、特にフェンスなどのコーナー部において、パネルを連結して、その連結箇所に縦材を追加して取付ける際、その縦材が位置ずれしにくくなるコーナー連結部材を提供する。
【課題を解決するための手段】
【０００８】
上記目的を達成するために、本発明は次のような構成としている。
すなわち本発明に係るコーナー連結部材は、横桟に縦桟を複数取付けたパネルの前記横桟同士を角度自在に連結するコーナー連結部材であって、前記コーナー連結部材は、前記縦桟と平行に配置される縦材と、前記縦材から側方に突出する突出部と、前記突出部と横桟とを接続する２個の接続部と、縦材の移動を規制する規制材とを備え、前記突出部、接続部及び規制材は、上下にボルトが挿通されて、突出部と接続部とは前記ボルトを軸として角度自在に連結されるとともに、前記規制材によって、接続部に対する突出部の移動が規制されることを特徴とするものである。
【０００９】
本発明において、前記接続部は、前記突出部と上下方向に重合可能な重合部と、前記横桟の側端部に取付けられた横桟固定部を備え、前記突出部、前記重合部及び規制材は、上下方向に重合され、該突出部、重合部及び規制材それぞれに設けられた上下に貫通する貫通孔を挿通するボルトによって締結されるとともに、前記規制材は、縦材を収納する収納部と、連結される横桟に取付けられたそれぞれの横桟固定部に当接可能な当接部を有したものとしてもよい。
【発明の効果】
【００１０】
本発明によれば、規制材によって、縦材は連結された二個のパネルに対して位置ずれしにくくなり、ボルトの緩み等の不具合が起こりにくくなる。
【図面の簡単な説明】
【００１１】
【図１】本発明に係るコーナー連結部材を用いたフェンスの実施の一形態を示す正面図である。
【図２】図１の側面図である。
【図３】図１の平面図である。
【図４】図１の支柱付近の拡大縦断面図である。
【図５】図１のコーナー連結部材付近の拡大正面図である。
【図６】図５のＡ−Ａ断面図である。
【図７】図５の分解説明図である。
【図８】図６の分解説明図である。
【図９】縦材の説明図である。
【図１０】接続部の説明図である。
【図１１】図３において、縦材と規制材との関係を示す説明図である。
【図１２】図３のコーナー連結部材付近の拡大平面図である。
【図１３】コーナー連結部材の他の実施形態を示す拡大平面図である。
【図１４】コーナー連結部材の更に他の実施形態を示す拡大平面図である。
【図１５】コーナー連結部材の更に他の実施形態を示す拡大平面図である。
【発明を実施するための形態】
【００１２】
次に、本発明を実施するための最良の形態について図面を参照し、具体的に説明する。
図１〜図３は本発明に係るコーナー連結部材を用いたフェンスにおいて実施の一形態を示す説明図であり、図１は正面図、図２は側面図、図３は平面図である。
【００１３】
図面において、１は横桟２と複数の縦桟３とを備えたパネル、４はパネル１同士を連結するコーナー連結部材である。また、コーナー連結部材４を用いてパネル１同士を連結したフェンスＦのコーナー箇所は出隅を示しており、特に説明しない限りは、各部材において出隅の外側に位置する側を前側、出隅の内側に位置する側を後側としたものであり、実施例についてもその様に説明する。
【００１４】
パネル１は、本形態では、上下の横桟２と、横桟２の間に取付けられて横方向に間隔をあけて取付けられた複数の縦桟３を備えている。
【００１５】
隣り合う縦桟３の間隔は特に限定されるものではないが、通行人等が横桟２に足を掛けてパネル１を容易には乗り越えないように、縦桟３間の間隔は靴が入りにくい方が好ましく、本形態では約５０ｍｍに設定している。
【００１６】
次に、横桟２及び縦桟３は、本形態では、いずれも断面矩形状の筒型であって、その交差部において、横桟２と縦桟３との重合面の一部が溶接によって接合され、縦格子状のパネル１が形成されている。横桟２と縦桟３の断面形状は、矩形状に限定されるものではなく、多角形状の断面でもよく、円形状の断面でもよく、これらを組み合わせたものでもよいが、横桟２と縦桟３との交差部で接合しやすい断面形状が好ましい。多角形状の断面形としては、三角形、五角形、六角形等を挙げることができる。また円形状の断面形状としては、断面円形状でもよく、楕円形状でもよい。
【００１７】
横桟２は、一般には強度的に安定しており成型しやすい鋼管が好適に用いられるが、他の金属を用いてもよく、ステンレス鋼やアルミニウム合金を用いることができる。
【００１８】
また、縦桟３は、一般には強度的に安定しており成型しやすい鋼管が好適に用いられるが、他の金属を用いてもよく、ステンレス鋼やアルミニウム合金を用いることができる。
【００１９】
各パネル１は、本形態では、図１に示すように、その下部が設置面に埋設され適宜間隔をあけて立設された支柱５に取付けられており、図４を参考にして、支柱５に対するパネル１の取付構造について更に詳しく説明する。
【００２０】
パネル１は、支柱５の前面側に設けられた係止部材５１を介して横桟２が取付けられることによって、支柱５に固定される。また、パネル１は、横桟２が縦桟３より後方に配置され、横桟２の背面に係合部材２１が取付けられており、係合部材２１の下端部は、横桟２の後面と隙間をあけて係合部２２が設けられている。一方、支柱５の係止部材５１には上方に向けて開口するが係止溝５２が設けられている。そして係合部２２を係止溝５２に挿入することによって、パネル１を支柱５に仮置きするとともに、この係合部材２１と係止部材５１とによって、パネル１を取り外し可能な仮置き状態とし、またパネル１の横方向の取付位置を調整することができる。そして、支柱５の前面側に取付けられた固定部材５３を用いて係合部材２１が支柱５の前面側から離れないように固定する。これにより、パネル１が支柱５に固定される。
【００２１】
支柱５は、一般に強度的に安定している鋼管が用いられるが、鋼以外に他の金属を用いてもよい。他の金属としては、アルミニウム合金、ステンレス鋼等を挙げることができる。
【００２２】
次に、パネル１同士を連結するためのコーナー連結部材４について、図５〜図１０を用いて詳しく説明する。図５は図１のコーナー連結部材付近の拡大正面図、図６は図５のＡ−Ａ断面図、図７、図８は図５、図６の分解説明図である。かかるコーナー連結部材４は、図５、図６に示すように、パネル１の縦桟３と略平行に配置される縦材６と、縦材６から側方に突出する突出部６１と、突出部６１とパネル１の横桟２とを接続する２個の接続部７と、縦材６の移動を規制する規制材８とを備えている。
【００２３】
図９は縦材の説明図であり、（ａ）は正面図、（ｂ）は平面図である。縦材６は、縦桟３とほぼ同形状であり、パネル１の間、すなわち連結されるパネル１の側端部の縦桟３の間に配置されても縦桟３と比べて違和感が生じにくく好ましい。また縦材６は、一般には強度的に安定しており成型しやすい鋼管が好適に用いられるが、他の金属を用いてもよく、ステンレス鋼やアルミニウム合金を用いることができる。
【００２４】
縦材６は、側方に突出する突出部６１を有し、本形態では、突出部６１の一端から縦材６に沿って形成された固定部６２によって縦材６に固定されている。突出部６１は、接続部７を介してパネル１の横桟２に接続されている。
【００２５】
図１０は接続部の説明図であり、（ａ）は平面図、（ｂ）は正面図、（ｃ）は側面図である。接続部７は、横桟２の側端部に取付けられる横桟固定部７１と、突出部６１と上下方向に重合可能な重合部７２とを備えている。横桟固定部７１は、横桟２の側端を覆っており、更に横桟２の側端から内部に挿入可能な横桟挿入部７３を有しており、図８に示すように、横桟挿入部７３を横桟２内に挿入し、横桟２と横桟挿入部７３とをビスＢ１で締結して、横桟２に接続部７を固定するものである。
【００２６】
２個のパネル１を連結する際は、図７、図８に示すように、横桟２に固定された接続部７の重合部７２同士を重合し、更に突出部６１に対して上下方向に重合するように配置する。なお本形態では、重合部７２が突出部６１の下方に位置している。また、突出部６１、重合部７２には、それぞれに設けられた上下に貫通する貫通孔６３、７４、７４にボルトＢ２が挿通されることによって、パネル１同士がコーナー連結部材４によって連結され、ボルトＢ２にナットＮを螺入することによって、突出部６１、重合部７２、７２が締結されて、パネル１同士の連結が保持される。
【００２７】
また、図５、図７に示すように、突出部６１と重合部７２、重合部７２同士が重合する重合面は、ボルトＢ２を軸としてそれぞれが回動可能となるように形成されており、これにより、パネル１同士を角度自在に連結することができる。本形態では、それぞれの重合面はボルトＢ２に対して直交する平坦な面が形成されている。
【００２８】
更に、図７、図８に示すように、突出部６１と上下方向に重合するように規制材８が配置されて、ボルトＢ２が貫通孔８ａに挿通されて締結される。規制材８は、パネル１に対して縦材６がボルトＢ２を軸とする移動を規制するものであって、図１１に示すように、縦材６の後部６３を収納する縦材規制部８１と、接続部７の横桟固定部７１に当接する接続部規制部８２とを備えている。縦材規制部８１は、ボルトＢ２よりも前側に形成されており、本形態では、縦材６の後面６４と対向する対向部８３と、対向部８３の両側端部から前方に突出する腕部８４、８４を有し、対向部８３と腕部８４、８４とによって凹部８５が形成されておいて、凹部８５内に縦材６の後部６３を挿入して収納する。なお、凹部８５内に後部６３を挿入した際、後部６３が両腕部８４、８４に当接した状態が好ましいが、そうすると、僅かな加工誤差によって、縦材６の後部６３を凹部８５内に挿入できない場合があるので、凹部８５内に後部６３を収納した際に、腕部８４と縦材６の後部６３との間に僅かに隙間が生じるようにしていてもよい。
【００２９】
次に、接続部規制部８２は、縦材規制部８１より後側に位置しており、図１３に示すように、縦材６が横方向であるＸ方向に荷重を受けた際の移動、具体的には、ボルトＢ２を軸とする突出部６１の回動を規制するものである。本形態では、規制材８の後方側の両側端部が切り欠かれて両側に斜辺部８６が設けられ、後方に頂角が位置する三角形状部を有している。
【００３０】
図１２に示すように、パネル１同士の連結角度が小さく、横桟固定部７１同士が当接している場合は、その当接箇所に接続部規制部８２が当接している。具体的には、斜辺部８６の一端である三角形状部の頂角付近が横桟固定部７１同士の当接箇所に当接している。
【００３１】
また、図１２の連絡されたパネル１同士よりその連結角度が大きくなった図１３においては、横桟固定部７１の表面と斜辺部８６とが対向する対向面にわたって当接している。
更にパネル１同士の連結角度が大きくなった図１４においては、横桟固定部７１の一部が、斜辺部８６の両側の他端部にそれぞれ当接している。
【００３２】
このように、縦材６の後部６３が縦材規制部８１に収納されるとともに、接続部規制部８２の斜辺部８６によって、ボルトＢ２を軸とする規制材８の移動が規制される。したがって、図１２〜図１４において、縦材６に対して横方向に荷重がかかった場合でも、規制材８によって、縦材６の移動を規制し、縦材６がボルトＢ２を軸とする回動を防ぐことができる。
【００３３】
規制材８は、パネル１同士の連結角度に応じて用意してもよいが、本形態では、連結角度が異なる場合でも１種類の規制材８で対応できるような形態としている。具体的には、
接続部７は同型を用い、ボルトＢ２が挿通する規制材８の貫通孔８ａを前後方向の縦長孔としている。
【００３４】
つまり、図１２に示されるボルトＢ２に対して規制材８が最も後側に位置する場合と、図１４示されるにボルトＢ２に対して規制材８が最も前側に位置する場合において、いずれも、規制材８の貫通孔にボルトＢ２が挿通するとともに、縦材６の後部６３が縦材規制部８１に収納できるようにすることによって、パネル１の連結角度が異なる場合でも１個の規制材８で縦材６の移動を規制することができる。
【００３５】
以上、本発明のコーナー連結部材について、実施形態に基づいて説明したが、本発明は、これらの実施形態に限定されるものではない。本発明の要旨を逸脱しない範囲内で当業者が思いつく各種変形を施したものも本発明の範囲内に含まれる。
【００３６】
例えば、図１５に示すように、接続部７の横桟固定部７１と規制材８の接続部規制部８２の間に隙間があってもよいが、平面視において、少なくとも縦材６の突出部６１の外周部より接横桟固定部７１に向けて張り出した張出部８７を備えていればよく、この際、接横桟固定部７１と張出部８７と隙間がなるべく狭いことが好ましい。
【００３７】
本発明に係るコーナー連結部材４は、パネル１同士を連結した箇所に縦材を取付ける際に好適に利用することができる。
【符号の説明】
【００３８】
１    パネル
２    横桟
２１  係合部材
２２  係合部
３    縦桟
４    コーナー連結部材
５    支柱
５１  係止部材
５２  係止溝
５３  固定部材
６    縦材
６１  突出部
６２  固定部
６３  後部
６４  後面
６５  側面
７    接続部
７１  横桟固定部
７２  重合部
７３  横桟挿入部
８    規制材
８ａ  貫通孔
８１  縦材規制部
８２  接続部規制部
８３  対向部
８４  腕部
８５  凹部
８６  斜辺部
８７  張出部
Ｂ１  ビス
Ｂ２  ボルト
Ｎ    ナット
Ｆ    フェンス
【図１】
0006553478.tif 000002
【図２】
0006553478.tif 000003
【図３】
0006553478.tif 000004
【図４】
0006553478.tif 000005
【図５】
0006553478.tif 000006
【図６】
0006553478.tif 000007
【図７】
0006553478.tif 000008
【図８】
0006553478.tif 000009
【図９】
0006553478.tif 000010
【図１０】
0006553478.tif 000011
【図１１】
0006553478.tif 000012
【図１２】
0006553478.tif 000013
【図１３】
0006553478.tif 000014
【図１４】
0006553478.tif 000015
【図１５】
0006553478.tif 000016